(57)【要約】【課題】クリーニングブレードの「めくれ」に起因する故障を確実に予測できる故障予測装置、および画像形成装置を提供する。【解決手段】清掃対象に接触して清掃を行うクリーニングブレードの「めくれ」に起因する故障を予測する故障予測装置であって、清掃対象の画素カウントに関する情報を取得する画素カウント取得手段６１０と、清掃対象を主走査方向にエリア分けし、各エリアについての累積画素カウント値を算出する累積画素カウント算出手段６２０と、清掃対象の走行距離あたりの累積画素カウント値を算出する走行距離毎累積画素カウント値算出手段６３０と、走行距離あたり累積画素カウント値に基づいてクリーニングブレードの「めくれ」の予兆があるか否かを判定する予兆判定手段６４０と、作像制御手段６５０と、警報手段６６０を備える。【選択図】図４
2015169877.tif 000002
【特許請求の範囲】
【請求項１】
清掃対象に接触して清掃を行うクリーニングブレードの「めくれ」に起因する故障を予測する故障予測装置であって、
前記清掃対象の画素カウントに関する情報を取得する画素カウント取得手段と、
前記清掃対象を主走査方向にエリア分けし、各エリアについての累積画素カウント値を算出する累積画素カウント算出手段と、
前記清掃対象の走行距離あたりの累積画素カウント値を算出する走行距離毎累積画素カウント値算出手段と、
前記走行距離あたり累積画素カウント値に基づいて前記クリーニングブレードの「めくれ」の予兆があるか否かを判定する予兆判定手段と、
を備えることを特徴とする故障予測装置。
【請求項２】
前記清掃対象が感光体であることを特徴とする請求項１に記載の故障予測装置。
【請求項３】
前記清掃対象が中間転写体であることを特徴とする請求項１に記載の故障予測装置。
【請求項４】
故障予兆状態であると判断されたエリアにトナー像を作像する作像制御手段を有することを特徴とする請求項１から請求項３のいずれか一項に記載の故障予測装置。
【請求項５】
前記予兆判定手段が前記クリーニングブレードの「めくれ」の予兆があると判断したとき、警報を発する警報手段を有することを特徴とする請求項１から請求項４のいずれか一項に記載の故障予測装置。
【請求項６】
請求項１から請求項５のいずれか一項に記載の故障予測装置と、前記故障予測装置が予測対象とするクリーニングブレードを有する作像装置を備えることを特徴とする画像形成装置。
【発明の詳細な説明】
【技術分野】
【０００１】
本発明は、清掃対象に接触して清掃を行うクリーニングブレードの「めくれ」に起因する故障を予測する故障予測装置、およびこの故障予測装置を備える画像形成装置に関する。
【背景技術】
【０００２】
従来、電子写真方式の画像形成装置においては、感光体である潜像担持体を帯電装置により帯電させ、帯電した感光体の表面に露光装置により静電潜像を形成する。ついで現像装置によって帯電した微粒子（トナー）で静電潜像上に可視画像を形成し、中間転写体を介して、もしくは直接転写紙上に可視画像が転写される。可視画像の転写後、感光体表面や中間転写体表面には転写されずに残る転写残トナーが存在し、多くの場合クリーニングブレードを接触させることによって転写後トナーを除去するクリーニング装置を備えている。従来このようなクリーニング装置の故障を予測する技術が提案されている。
【０００３】
特許文献１には、作像動作中に書き込み可能領域における画素の存在箇所を所定単位の小領域に特定して当該小領域の画素密度を算出し、算出された各小領域における書き込み画素密度に基づいて、各領域の画素密度に重み付けを行い、その重み付けされた画素密度を積算し、その積算値と寿命閾値とを比較してクリーニングユニットの寿命を判定する技術が開示されている。
【０００４】
また、特許文献２には、像担持体クリーニング手段に基準トナーパターンを入力し、像担持体クリーニング手段を通過した通トナーを無端移動体に転写された通過トナーをトナー検知手段で検知して寿命判定を行う技術が開示されている。
【０００５】
なお、特許文献１に記載された画素密度に関連した画像累積情報を利用する技術として、特許文献３には、感光体ドラムの感光層上に形成されるトナー像のイメージカウントを主走査方向１画素ごとに累積して得られた累積イメージカウントから、感光層の主走査方向の膜厚分布を予測する技術が記載されている。
【発明の概要】
【発明が解決しようとする課題】
【０００６】
ここで、画像形成装置においては、低画像面積の印刷が続くと、感光体や中間転写体とクリーニングブレードとの摩擦が大きくなり、クリーニングブレードと感光体や中間転写体との間に大きな力が生じて、クリーニングブレード「めくれ」等の故障が生じる。しかし、特許文献１および特許文献２に記載の故障予測装置では、このクリーニングブレード「めくれ」に起因する故障については判断ができない。
【０００７】
本発明は、上述の点にかんがみ、クリーニングブレードの「めくれ」に起因する故障を確実に予測することができる故障予測装置、および画像形成装置を提供することを目的とする。
【課題を解決するための手段】
【０００８】
本発明に係る故障予測装置は、清掃対象に接触して清掃を行うクリーニングブレードの「めくれ」に起因する故障を予測する故障予測装置であって、前記清掃対象の画素カウントに関する情報を取得する画素カウント取得手段と、前記清掃対象を主走査方向にエリア分けし、各エリアについての累積画素カウント値を算出する累積画素カウント算出手段と、前記清掃対象の走行距離あたりの累積画素カウント値を算出する走行距離毎累積画素カウント値算出手段と、前記走行距離あたり累積画素カウント値に基づいて前記クリーニングブレードの「めくれ」の予兆があるか否かを判定する予兆判定手段と、を備えることを特徴とする。
【発明の効果】
【０００９】
本発明によれば、低画像面積の印刷が続くことに起因してクリーニングブレード「めくれ」を予測してメンテナンスを促せるので、クリーニングブレード「めくれ」に起因する故障を未然に防止することができる。
【図面の簡単な説明】
【００１０】
【図１】本発明の実施形態に係る故障予測装置を備える画像形成装置の概略構成を示す断面図である。
【図２】同画像形成装置のプロセスユニットを示す模式図である。
【図３】同画像形成装置の制御部の構成を示すブロック図である。
【図４】故障予測装置の構成を示す機能ブロック図である。
【図５】画像面積率と頻度との関係を示すグラフである。
【図６】エリアごとの故障予兆判定結果を示すものであり、（ａ）は判定グラフ、（ｂ）は作成されるトナー像を示す模式図である。
【図７】同画像形成装置の動作例を示すフローチャートである。
【図８】同画像形成装置の他の動作例を示すフローチャートである。
【発明を実施するための形態】
【００１１】
本発明を実施するための形態に係る故障予測装置、および画像形成装置について説明する。以下、本発明が適用される画像形成装置について説明する。図１は本発明の実施形態に係る故障予測装置を備える画像形成装置の概略構成を示す断面図、図２は同画像形成装置のプロセスユニットを示す模式図である。この画像形成装置は、タンデム型のカラー複写機である。この画像形成装置５００は、プリンタ部１００と、給紙部２００と、スキャナ部３００と、原稿搬送部４００とを備えている。スキャナ部３００はプリンタ部１００上に取り付けられ、スキャナ部３００の上に原稿自動搬送装置（ＡＤＦ）からなる原稿搬送部４００が取り付けられている。
【００１２】
スキャナ部３００は、コンタクトガラス３２上に載置された原稿の画像情報を読取センサー３６で読み取り、読み取った画像情報を図示しない制御部に送る。制御部は、スキャナ部３００から受け取った画像情報に基づき、プリンタ部１００の露光装置２１内に配置された図示しないレーザーや発光ダイオード（ＬＥＤ）等を制御してドラム状の４つの感光体４０Ｋ、Ｙ、Ｍ、Ｃに向けてレーザー書込光Ｌを照射させる。この照射により、感光体４０Ｋ、Ｙ、Ｍ、Ｃの表面には静電潜像が形成され、この潜像は所定の現像プロセスを経由してトナー像に現像される。なお、符号の後に付された添え字Ｋ、Ｙ、Ｍ、Ｃは、ブラック、イエロー、マゼンタ、シアン用の仕様であることを示している。また、図１中には、添え字を記載していない。
【００１３】
プリンタ部１００は、露光装置２１の他、１次転写ローラ６２Ｋ、Ｙ、Ｍ、Ｃ、２次転写装置２２、定着装置２５、排紙装置、図示しないトナー供給装置、トナー供給装置等を備えている。
【００１４】
給紙部２００は、プリンタ部１００の下方に配置された自動給紙部と、プリンタ部１００の側面に配置された手差し部とを有している。そして、自動給紙部は、ペーパーバンク４３内に多段に配置された２つの給紙カセット４４、給紙カセットから記録体たる転写紙を繰り出す給紙ローラ４２、繰り出した転写紙を分離して給紙路４６に送り出す分離ローラ４５等を有している。また、プリンタ部１００の給紙路４８に転写紙を搬送する搬送ローラ４７等も有している。
【００１５】
一方、手差し部は、手差しトレイ５１、手差しトレイ５１上の転写紙を手差し給紙路５３に向けて一枚ずつ分離する分離ローラ５２等を有している。プリンタ部１００の給紙路４８の末端付近には、レジストローラ対４９が配置されている。このレジストローラ対４９は、給紙カセット４４や手差しトレイ５１から送られてくる転写紙を受け入れた後、所定のタイミングで中間転写体たる中間転写ベルト１０と２次転写装置２２との間に形成される２次転写ニップに送る。
【００１６】
操作者は、カラー画像のコピーをとるときに、原稿搬送部４００の原稿台３０上に原稿をセットする。あるいは、原稿搬送部４００を開いてスキャナ部３００のコンタクトガラス３２上に原稿をセットした後、原稿搬送部４００を閉じて原稿を押さえる。そして、図示しないスタートスイッチを押す。すると、原稿搬送部４００に原稿がセットされている場合には原稿がコンタクトガラス３２上に搬送された後に、コンタクトガラス３２上に原稿がセットされている場合には直ちに、スキャナ部３００が駆動を開始する。そして、第１走行体３３および第２走行体３４が走行し、第１走行体３３の光源から発せられる光が原稿面で反射した後、第２走行体３４に向かう。さらに、第２走行体３４のミラーで反射してから結像レンズ３５を経由して読取センサー３６に至り、画像情報として読み取られる。
【００１７】
このようにして画像情報が読み取られると、プリンタ部１００は、図示しない駆動モータで支持ローラ１４、１５、１６の１つを回転駆動させながら他の２つの支持ローラを従動回転させる。そして、これらローラに張架される中間転写ベルト１０を無端移動させる。さらに、上述のようなレーザー書き込みや、後述する現像プロセスを実施する。そして、感光体４０Ｋ、Ｙ、Ｍ、Ｃを回転させながら、それらに、ブラック、イエロー、マゼンタ、シアンの単色画像を形成する。これらは、感光体４０Ｋ、Ｙ、Ｍ、Ｃと、中間転写ベルト１０と、が当接するＫ、Ｙ、Ｍ、Ｃ用の１次転写ニップで順次重ね合わせて静電転写されて４色重ね合わせトナー像になる。感光体４０Ｋ、Ｙ、Ｍ、Ｃ上にトナー像を形成する。
【００１８】
一方、給紙部２００は、画像情報に応じたサイズの転写紙を給紙すべく、３つの給紙ローラのうちのいずれか１つを作動させて、転写紙をプリンタ部１００の給紙路４８に導く。給紙路４８内に進入した転写紙は、レジストローラ対４９に挟み込まれて一時停止した後、タイミングを合わせて、中間転写ベルト１０と２次転写装置２２の２次転写ローラ２３との接触部である２次転写ニップに送り込まれる。すると、２次転写ニップにおいて、中間転写ベルト１０上の４色重ね合わせトナー像と、転写紙とが同期して密着する。そして、ニップに形成されている転写用電界やニップ圧などの影響によって４色重ね合わせトナー像が転写紙上に２次転写され、紙の白色と相まってフルカラー画像となる。
【００１９】
２次転写ニップを通過した転写紙は、２次転写装置２２の搬送ベルト２４の無端移動によって定着装置２５に送り込まれる。そして、定着装置２５の加圧ローラ２７による加圧力と、加熱ベルトによる加熱との作用によってフルカラー画像が定着せしめられた後、排出ローラ５６を経てプリンタ部１００の側面に設けられた排紙トレイ５７上に排出される。
【００２０】
プリンタ部１００は、ベルトユニット、各色のトナー像を形成する作像装置である４つのプロセスユニット１８Ｋ、Ｙ、Ｍ、Ｃ、２次転写装置２２、ベルトクリーニング装置１７、定着装置２５等を備えている。ベルトユニットは、複数のローラに張架した中間転写ベルト１０を、感光体４０Ｋ、Ｙ、Ｍ、Ｃに接触させながら無端移動させる。感光体４０Ｋ、Ｙ、Ｍ、Ｃと中間転写ベルト１０とを当接させるＫ、Ｙ、Ｍ、Ｃ用の１次転写ニップでは、それぞれＫ、Ｙ、Ｍ、Ｃ用の１次転写ローラ６２Ｋ、Ｙ、Ｍ、Ｃによって中間転写ベルト１０を裏面側から感光体４０Ｋ、Ｙ、Ｍ、Ｃに向けて押し付けている。これら４つの１次転写ローラ６２には、それぞれ図示しない電源によって１次転写バイアスが印加されている。
【００２１】
これにより、Ｋ、Ｙ、Ｍ、Ｃ用の１次転写ニップには、感光体４０Ｋ、Ｙ、Ｍ、Ｃ上のトナー像を中間転写ベルト１０に向けて静電移動させる１次転写電界が形成されている。各１次転写ローラ６２Ｋ、Ｙ、Ｍ、Ｃの間には、中間転写ベルト１０の裏面に接触する導電性ローラ７４がそれぞれ配置されている。これら導電性ローラ７４は、１次転写ローラ６２Ｋ、Ｙ、Ｍ、Ｃに印加される１次転写バイアスが、中間転写ベルト１０の裏面側にある中抵抗の基層を介して隣接するプロセスユニットに流れ込むことを阻止するものである。
【００２２】
次にプロセスユニットの構造について説明する。図２は同画像形成装置のプロセスユニットの構成を示す模式図である。プロセスユニット１８Ｋ、Ｙ、Ｍ、Ｃは、使用するトナーの色が異なる他、同一の構造を備えるので、以下添え字を省略して説明する。プロセスユニット１８は、露光装置２１からのレーザー書込光Ｌで感光される感光体４０と、感光体４０に形成された潜像をトナーで現像する現像ユニット６１と、転写残トナーを感光体４０から除去するクリーニング装置６３を備える。また、クリーニング後の感光体４０表面を除電する除電装置（図示していない）や、除電後の感光体４０Ｋ表面を一様帯電せしめる帯電装置６４なども有している。クリーニング装置６３は、感光体４０に接触するクリーニングブレード８１を備える。このクリーニングブレード８１は、ホルダ部材８２で一端側保持され、他端側のエッジ部８１ａで感光体４０に接触している。
【００２３】
次にクリーニングブレード８１の「めくれ」につて説明する。クリーニングブレード８１は、感光体４０にエッジ部８１ａを接触させ、感光体４０の回転によって、転写残トナーをかき落としている。感光体４０とクリーニングブレード８１との摩擦抵抗が高いと、クリーニングブレード８１と感光体４０の間に大きな摩擦が生じて、クリーニングブレード８１の「めくれ」等の障害が発生する。通常、転写残トナーがクリーニングブレード８１と感光体４０の間に入ることにより摩擦抵抗が抑えられている。しかし、低画像面積率の画像が多くプリントされると、摩擦抵抗が高くなりクリーニングブレード８１に「めくれ」が発生してしまう。
【００２４】
また、主走査方向のどこか一部分だけ、画像面積率が低い画像がプリントされ続けると、その一部分だけ、摩擦抵抗が大きくなりクリーニングブレード「めくれ」が起こることがある。クリーニングブレード８１に「めくれ」が発生すると、感光体４０を傷つけてしまい、異常画像の原因となり、クリーニングブレードだけでなく、感光体４０の交換保守も必要となってしまう。この事情は感光体４０の他、中間転写ベルト１０の残転写トナーを除去するクリーニングブレードを備えたベルトクリーニング装置１７についても同様である。
【００２５】
本画像形成装置５００は、これら４つのプロセスユニット１８Ｋ、Ｙ、Ｍ、Ｃを、中間転写ベルト１０に対してその無端移動方向に沿って並べるように対向して配置した、いわゆるタンデム型の構成になっている。
【００２６】
次に画像形成装置５００の制御系について説明する。図３は同画像形成装置の制御部の構成を示すブロック図である。画像形成装置５００において、制御部５１０で故障予想装置の機能を実現する。制御部５１０には、画像形成装置５００のプリンタ部１００、給紙部２００、スキャナ部３００、原稿搬送部４００、操作表示部５２０が接続される。また制御部５１０には、画像形成装置５００に接続された外部コンピュータ（ＰＣ）５３０が接続されている。制御部５１０は、画像形成装置５００全体の制御を行うものであり、制御プログラムを記憶しているデータ記憶手段たるＲＯＭ（Read Only Memory）５１３、演算データや制御パラメータ等を記憶するデータ記憶手段たるＲＡＭ５１２、演算手段たるＣＰＵ(Central Processing Unit)５１１、データ記憶手段たる不揮発性ＲＡＭ(Random Access Memory)５１４等を有している。制御部５１０では、ＣＰＵ５１１がＲＡＭ５１２に記憶している制御プログラムを実行して情報取得手段および故障予測装置の機能を実現する。
【００２７】
操作表示部５２０は、文字情報等を表示する液晶ディスプレー等から構成される表示部や、テンキー等などによって操作者から入力情報を受け付けて制御部５１０に送る操作部などを有している。また、制御部５１０は、外部のＰＣ５３０からの入力を受け付けて記憶する。
【００２８】
次に、制御部５１０で実現される故障予測装置について説明する。図４は故障予測装置の構成を示す機能ブロック図である。故障予測装置は、画素カウント取得手段６１０と、累積画素カウント算出手段６２０と、走行距離毎累積画素カウント値算出手段６３０と、予兆判定手段６４０と、作像制御手段６５０と、警報手段６６０と、を備える。
【００２９】
画素カウント取得手段６１０は、清掃対象である感光体４０の主走査方向のエリア分けされた各エリアにおける画素カウントを取得する。ここで、画素カウントは、スキャナ部３００や、ＰＣ５３０などからコントローラを介して送られてくる書き込み画像データから抽出される。抽出した画素カウントデータは、主走査方向に分割されたエリアごとに累積される。エリアの分割は、画素数単位で分割し、この分割のやり方は操作表示部５２０から設定できるようにできる。本実施形態では、主走査方向に１６等分割した１６エリアでそれぞれ故障予兆状態かどうか判定を行う。
【００３０】
累積画素カウント算出手段６２０は、各エリアの画素カウントを故障予測対象パーツが交換されるまで累積する。走行距離毎累積画素カウント値算出手段６３０は、累積した画素カウント値を走行距離で割り、走行距離あたりの累積画素カウントを算出する。また、一定期間の各エリアの累積画素カウントを一定期間の走行距離で割り、走行距離あたりの累積画素カウント値を算出してもよい。
【００３１】
一定期間は、走行距離もしくはプリント枚数で定める。一定期間の定める方法としては、診断する対象のパーツの寿命の例えば１／１０の値とするなど、パーツの寿命から一定期間を定める方法を用いることができる。一定期間の各エリアの累積画素カウントを見ることで、初めは高画像面積率の画像をプリントしていたが、途中から低画像面積率の画像を多くプリントするようになったような場合、低画像面積率の印刷が続くことが原因で起こるクリーニングブレード「めくれ」に起因する故障の予兆を発見することができる。
【００３２】
予兆判定手段６４０は、走行距離毎累積画素カウント値算出手段６３０で取得した走行距離あたりの累積画素カウントとあらかじめ定めた閾値とを比較し、走行距離あたりの累積画素カウントが閾値を超えたとき故障予兆状態であると判断する。図５は画像面積率と頻度との関係を示すグラフである。同グラフにおいて縦軸が頻度で、横軸が画像面積率を示している。一般に画像形成は、画像面積率が５％付近で使用されることが多く、５％付近での使用状況に合わせて各種の設定を合わせている。このため、画像面積率が例えば０．１％未満と極端に低くなるとクリーニングブレードの「めくれ」が発生する危険性が高まることとなる。実際の使用状況として、画像面積率０．１％未満のケースは、ほとんどないが、主走査方向にエリア分けし、エリアごとの画像面積率が０．１％未満となるケースは頻繁にある。実施形態に係る画像形成装置５００では、画像面積率が０．１％未満となったときに故障予兆状態と判断する。この閾値は、機種やクリーニングブレードの種類などによって値を変えることができる。
【００３３】
作像制御手段６５０は、主走査方向にエリア分けされた各エリアの中で、故障予兆状態であると判断されたエリアがある場合、このエリアにトナー像を作像することで、クリーニングブレードと感光体や中間転写体の間の摩擦抵抗を低くする。トナー像は、紙間や印刷終了後に作像する。図６はエリアごとの故障予兆判定結果を示すものであり、（ａ）は判定グラフ、（ｂ）は作成されるトナー像を示す模式図である。図６（ａ）のグラフにおいては縦軸が判定結果、横軸が各エリアを示している。判定結果が０となっているエリアで、故障予兆状態となっている。そこで、故障予兆状態のエリアに図６（ｂ）に示すトナー像を作像する。これにより、クリーニングブレードに「めくれ」が発生することを予防することができる。
【００３４】
警報手段６６０は、予兆判定手段６４０が故障予兆状態と判断したとき、すなわちクリーニングブレードに「めくれ」が発生する予兆状態であると判断したとき、操作表示部５２０の液晶表示部等に、警告メッセージを表示させる。また、画像形成装置である複写機にLAN（Local Area Network）を介してアラームとして発信させたりすることや、保守員にＬＡＮを介してメールなどでアラームを発することもできる。
【００３５】
次に画像形成装置５００の動作について説明する。図７は同画像形成装置の動作例を示すフローチャートである。この例では、作像制御手段６５０で、画像を形成してクリーニングブレードの「めくれ」を予防する。まず、画素カウント取得手段６１０で取得されＲＡＭ５１２に随時記憶される画素カウント値を読み出す（ステップＳＡ１）。ついで、走行距離の読み出し（ステップＳＡ２）が行われる。次に累積画素カウント算出手段６２０により読み出した画素カウントからエリア毎累積画素カウント値を算出する（ステップＳＡ３）。さらに、走行距離毎累積画素カウント値算出手段６３０において算出したエリア毎累積画素カウント値と読み出した走行距離から、走行距離あたりの累積画素カウント値を算出する（ステップＳＡ４）。
【００３６】
そして、予兆判定手段６４０において走行距離あたりの累積画素カウント値を閾値と比較して、故障予兆状態か否かを判断する（ステップＳＡ５）。走行距離あたりの累積画素カウント値が閾値以上であり、故障予兆状態であるエリアが存在する場合（ステップＳＡ５の「故障予兆状態」）、作像制御手段６５０は、故障予兆状態のエリアに対しトナー像を作像する（ステップＳＡ６）。一方故障予兆状態でないエリアに対してはトナー像を作像せず終了する。
【００３７】
次に画像形成装置５００の他の動作例について説明する。図８は同画像形成装置の他の動作例を示すフローチャートである。この例では、警報手段６６０で、画像を形成してクリーニングブレードの「めくれ」の警報を発する。まず、画素カウント取得手段６１０で取得されＲＡＭ５１２に随時記憶される画素カウント値を読み出す（ステップＳＢ１）。ついで、走行距離の読み出し（ステップＳＢ２）が行われる。次に累積画素カウント算出手段６２０により読み出した画素カウントからエリア毎累積画素カウント値を算出する（ステップＳＢ３）。さらに、走行距離毎累積画素カウント値算出手段６３０において算出したエリア毎累積画素カウント値と読み出した走行距離から、走行距離あたりの累積画素カウント値を算出する（ステップＳＢ４）。
【００３８】
そして、予兆判定手段６４０において走行距離あたりの累積画素カウント値を閾値と比較して、故障予兆状態か否かを判断する（ステップＳＢ５）。走行距離あたりの累積画素カウント値が閾値以上であり、故障予兆状態であるエリアが存在する場合（ステップＳＡ５の「故障予兆状態」）、警報手段６６０で故障アラーム処理がなされる。この故障アラーム処理としては、操作表示部５２０の液晶表示部に、メッセージを表示したり、画像形成装置である複写機にＬＡＮを介してアラームとして発することや、保守員にＬＡＮを介してメールなどでアラームを発したりする方法を用いてもよい。一方、故障予兆状態のエリアが存在しない場合、故障アラームを発せず終了する。
【００３９】
なお、作像制御手段６５０による作像処理と、警報手段６６０による故障アラーム処理とは１つの画像形成装置で並行して実行することができる。また、上記実施形態では、「めくれ」に起因する故障の予測対象を清掃対象が感光体であるクリーニングブレードである場合を例として説明したが、クリーニングブレードは、清掃対象を他の部材、例えば中間転写ベルトとすることができる。
【符号の説明】
【００４０】
１０：中間転写ベルト
４０：感光体
６１：現像ユニット
６３：クリーニング装置
６４：帯電装置
７４：導電性ローラ
８１：クリーニングブレード
８１ａ：エッジ部
８２：ホルダ部材
１００：プリンタ部
２００：給紙部
３００：スキャナ部
４００：原稿搬送部
５００：画像形成装置
５１０：制御部
５１１：ＣＰＵ
５１２：ＲＡＭ
５２０：操作表示部
５３０：ＰＣ
６１０：画素カウント取得手段
６２０：累積画素カウント算出手段
６３０：走行距離毎累積画素カウント値算出手段
６４０：予兆判定手段
６５０：作像制御手段
６６０：警報手段
【先行技術文献】
【特許文献】
【００４１】
【特許文献１】特開２０１０−１７５８３１公報
【特許文献２】特開２００８−２９９００９公報
【特許文献３】特開２００７−１８７７３４公報
【図１】
2015169877.tif 000003
【図２】
2015169877.tif 000004
【図３】
2015169877.tif 000005
【図４】
2015169877.tif 000006
【図５】
2015169877.tif 000007
【図６】
2015169877.tif 000008
【図７】
2015169877.tif 000009
【図８】
2015169877.tif 000010